(57)【要約】      （修正有）【課題】各種物品を袋詰めする際に、包装袋の開口作業を包装袋自動開口装置を用いることにより、人力による長時間の開口作業による肉体的苦痛と作業ムラを無くし、包装袋を効率良く開口することで袋詰め作業時間の短縮を図ることが可能な包装袋自動開口装置を提供する。【解決手段】エアを供給して積層された複数の包装袋６を順次開口する包装袋自動開口装置であって、前記エアを供給するエア供給手段と、前記複数の包装袋６を積載するための台１６と、該台１６の上面に積層された複数の包装袋の袋口に前記エアを供給するエア噴出部２を有し、更に、該エア噴出部２が、前記積層された包装袋に対し所定の位置に上下自在にスライドするスライド手段と、前記積層された包装袋を固定する固定手段とを有し、前記積層された包装袋の最上位の包装袋の袋口にのみ、前記エア噴出部からのエアが供給されることを特徴とする。【選択図】図１
0003152411.tif 000002
【実用新案登録請求の範囲】
【請求項１】
エアを供給して積層された複数の包装袋を順次開口する包装袋自動開口装置であって、
前記エアを供給するエア供給手段と、
前記複数の包装袋を積載するための台と、
該台の上面に積層された複数の包装袋の袋口に前記エアを供給するエア噴出部を有し、
更に、該エア噴出部が、前記積層された包装袋に対し所定の位置に上下自在にスライドするスライド手段と、前記積層された包装袋を固定する固定手段とを有し、
前記積層された包装袋の最上位の包装袋の袋口にのみ、前記エア噴出部からのエアが供給されることを特徴とする包装袋自動開口装置。
【請求項２】
前記エア噴出部は、包装袋の袋口にエア流が集中するように、前記包装袋の袋幅より小さい所定幅の枠のエア噴出口を有することを特徴とする請求項１記載の包装袋自動開口装置。
【請求項３】
前記エア噴出部のスライド手段は、前記包装袋自動開口装置の筐体とバネにより弾性的に接続されており、バネの弾性に抗して移動自在にスライドして前記積層した包装袋に対し、所定の位置に前記エア噴出口を設置できることを特徴とする請求項２記載の包装袋自動開口装置。
【請求項４】
前記エア噴出部の包装袋の固定手段が、バネにより弾性的に前記エア噴出口に取り付けられた複数の押えロッドからなり、該押えロッドがバネの弾性に抗する圧力により、積層した包装袋を固定することを特徴とする請求項２または３記載の包装袋自動開口装置。
【考案の詳細な説明】
【技術分野】
【０００１】
本考案は、品物を包装袋に抽入するための包装袋の開口作業を、エア流により連続的に包装袋の開口を行う包装袋自動開口装置に関する。
【背景技術】
【０００２】
従来、店頭のレジなどで品物を袋詰めする際には、包装袋の開口を人手により１枚づつ指で開口して品物を袋詰めしている。
【０００３】
また、スーパーなどの量販店では包装袋の開口作業する際、袋の内部にエアを吹き込んで膨らませて品物を装入する装置が用いられている。例えば特許文献１にて袋詰め装置が開示されている。
【０００４】
図７に示すように、例えば特許文献１ではエア供給装置５１の一端側に開口したエア吹出口５３と案内板５８の前面に、エア供給装置５１の本体に枢支部５５で回転自在に取り付けられた袋保持皿５２が傾斜して位置し、該袋保持皿上に積層された包装袋の袋口が袋押さえ部材５６により係止される。そして、係止された最上部の包装袋の開口部にエア吹出口５３より吹出されるエア流により包装袋を膨らませて、エア供給装置５１の上面に置かれたパンなどの品物を包装袋の開口部から装入して袋詰めを行なっている。
【先行技術文献】
【特許文献】
【０００５】
【特許文献１】特開平７−１７５２２号公報
【考案の概要】
【考案が解決しようとする課題】
【０００６】
しかし、従来の包装袋の開口作業を人力による１枚づつ開口する作業では、長時間この作業を行うことで指先が痛くなる肉体的苦痛を伴い作業のムラが発生し、包装袋の開口に時間が掛かり袋詰めの作業効率が低下してお客様を待たせる結果となる。
【０００７】
また、特許文献１に開示されている従来の袋詰め装置では、エア供給装置５１と回転自在に取り付けられた袋保持皿５２とで装置が大型になり、設置場所が限定される。また、袋保持皿５２に載せられた袋と袋保持皿５２の重みにより枢支部５５を軸として回転モーメントの働きで袋押さえ部材５６と保持皿５２の間で袋を押える構成となっており、エア供給口５３に近い部分の袋保持皿５２を不用意に押すと袋がずれ落ちたり、エアで吹き飛ぶ可能性がある。
【０００８】
本考案は、以上の課題に鑑みてなされたもので、長時間作業による肉体的苦痛と作業ムラを無くし、コンパクトな構成にすることでレジ横での袋詰め作業を平行して効率良く行うことで、お客様の待機時間の短縮を図ることが可能な包装袋自動開口装置を提供することを目的とする。
【課題を解決するための手段】
【０００９】
よって本考案は、上記の目的を達成するため、以下（１）〜（４）の構成を備えるものである。
【００１０】
（１）エアを供給して積層された複数の包装袋を順次開口する包装袋自動開口装置であって、前記エアを供給するエア供給手段と、前記複数の包装袋を積載するための台と、該台の上面に積層された複数の包装袋の袋口に前記エアを供給するエア噴出部を有し、更に、該エア噴出部が、前記積層された包装袋に対し所定の位置に上下自在にスライドするスライド手段と、前記積層された包装袋を固定する固定手段とを有し、前記積層された包装袋の最上位の包装袋の袋口にのみ、前記エア噴出部からのエアが供給されることを特徴とする包装袋自動開口装置。
【００１１】
（２）前記エア噴出部は、包装袋の袋口にエア流が集中するように、前記包装袋の袋幅より小さい所定幅の枠のエア噴出口を有することを特徴とする前記（１）記載の包装袋自動開口装置。
【００１２】
（３）前記エア噴出部のスライド手段は、前記包装袋自動開口装置の筐体とバネにより弾性的に接続されており、バネの弾性に抗して移動自在にスライドして前記積層した包装袋に対し、所定の位置に前記エア噴出口を設置できることを特徴とする前記（２）記載の包装袋自動開口装置。
【００１３】
（４）前記エア噴出部の包装袋の固定手段が、バネにより弾性的に前記エア噴出口に取り付けられた複数の押えロッドからなり、該押えロッドがバネの弾性に抗する圧力により、積層した包装袋を固定することを特徴とする前記（２）または（３）記載の包装袋自動開口装置。
【考案の効果】
【００１４】
本考案によれば、従来の人力による包装袋の開口作業を本考案の包装袋自動開口装置を用いることにより、長時間作業による肉体的苦痛と作業ムラを無くし、レジ横で袋詰め作業を並行して効率良く行うことでお客様の待機時間の短縮を図ることが可能な包装袋自動開口装置を提供することができる。
【図面の簡単な説明】
【００１５】
【図１】実施例１に係る包装袋自動開口装置の平面図
【図２】図１のＡ−Ａ方向からの断面図、（ａ）包装袋自動開口装置のＡ−Ａ断面図、（ｂ）包装袋自動開口装置のエア噴出部を上方にスライドさせた時のＡ−Ａ断面図
【図３】（ａ）実施例１に係る包装袋自動開口装置に包装袋を積載した状態の断面図、（ｂ）包装袋自動開口装置のＢ−Ｂ方向からの断面図
【図４】（ａ）実施例１に係る包装袋自動開口装置のエア噴出部の構成図、（ｂ）エア噴出部のスライドシャフトブロックとシャフトガイドとの接続図
【図５】（ａ）実施例１に係る包装袋自動開口装置のエア噴出部の他の構成図、（ｂ）エア噴出部のスライドロッドとロッドガイドとの接続図
【図６】実施例１に係る包装袋自動開口装置で品物を袋詰めにする際の断面図
【図７】従来の袋詰め装置の斜視図
【考案を実施するための形態】
【００１６】
以下、本考案を実施するための形態を、実施例により詳しく説明する。
【実施例１】
【００１７】
図１及び図２は本考案に係る包装袋自動開口装置の平面図と断面図を示すものである。図１は包装袋自動開口装置の平面図であり、図２（ａ）は包装袋自動開口装置上に包装袋が無い状態のエア噴出部の状態を示す図１のＡ−Ａ断面図であり、図２（ｂ）は包装袋自動開口装置のエア噴出部を上方にスライドさせた状態を示す図１のＡ−Ａ断面図である。
【００１８】
図１において、１は包装袋自動開口装置の電源スイッチである。電源スイッチ１をＯＮ／ＯＦＦすることでエア供給源であるファンユニットに電力を供給する。２はエア吸入口２ａとエア噴出口２ｂを備えたＬ字型のエア噴出部である。３はベロ付きダフト袋６を固定するためエア噴出口２ｂの上板にバネ３ａの弾性に抗して取り付けられた押さえロッドである。４はアジャストブロック５の高さを調整するためのアジャストボルトである。５は最上位の開口したベロ付きダフト袋６を取り出す際に、積層台１６の台上に積層されたダフト袋が一緒にずれるのを防止するためのアジャストブロックである。６は包装袋であるベロ付きダフト袋である。１１はベロ付きダフト袋６の位置決め側板である。ベロ付きダフト袋６のサイズに合わせて移動可能で積層台１６の台上にダフト袋を多量に積層した時のダフト袋の荷崩れを防止する。１６は筐体１２の上面でベロ付きダフト袋６を積層するための積層台である。
【００１９】
図２において、７はエア噴出部２と装置の筐体１２との間に取り付けられたバネである。バネ７の張力によりエア噴出部２は、吹出すエアの圧力の影響を受けずに安定した位置を保ち、エア噴出部２のＬ字状の側板はダフト袋押さえの機能とエア流の拡散を防止する。８はエア噴出部２を上下にスライドさせるスライドシャフトブロックである。スライドシャフトブロック８はエア噴出部２の上板に取り付けられている。９はスライドシャフトブロックの動きをガイドするために隔壁１２ａに取り付けられたシャフトガイドである。スライドシャフトブロック８とシャフトガイド９により積層台１６の台上に積層されたダフト袋の高さに応じてエア噴出口２ｂの高さを調整する。１２は包装袋自動開口装置の筐体である。筐体１２の内部に隔壁１２ａで仕切られたファンユニット１４が収納されている。１３は包装袋自動開口装置に取り付けられるゴム足である。ゴム足１３によりファンユニット１４の作動時の振動を吸収している。１４はエア流を発生させるファンユニットである。１５はファンユニット１４の下部に取り付けられた安全カバーである。安全カバー１５はフィルター機能を兼ねており外部の異物をファンユニット１４が吸い込むのを防止している。
【００２０】
上記装置において、図１に示すようにエア噴出部２はベロ付きダフト袋６の開口部の横幅より小さい幅で構成されている。そのためバネ７の張力によりエア噴出部２のＬ字状の側板がダフト袋のベロ部６ｂを押える構造によりエア噴出部２直下のファンユニットで発生したエア流の拡散を防ぎ、減衰することなくエア噴出口２ｂから水平方向に吹出すようにエア流に指向性を与える機能を備えている。更にエア噴出口２ｂの形状は、内側に絞るこんだ形状にすることでエア流を効率的にダフト袋の開口部の中央へ集中させることができる。
【００２１】
そして、エア噴出部２のスライドシャフトブロック８と筐体１２のシャフトガイド９とがバネ７の力に抗して上下にスライドする構造により、ベロ付きダフト袋６が積み重なってもエア噴出部２がスライドすることで、常にエア噴出口２ｂの吹出し位置を最上位のダフト袋の開口部の中央に向かう位置にすることができる。
【００２２】
また、筐体１２内部に設置されたファンユニット１４周辺部を隔壁１２ａにより密閉構造にすることでファンユニット１４で発生されたエア流は、筐体１２の開口部であるエア噴出部２のエア吸入口２ａに集中し加圧されてエア噴出部２の内部を上方に吹出すように誘導される。そのためエア噴出部２のＬ字型構造によりエア噴出部上面には押し上げる圧力が加わるが、バネ７の張力により押し上げる力を相殺するだけでなく、エア噴出部２の側板がダフト袋のベロ部６ｂを適度な力で押える機能を備えている。
【００２３】
ベロ付きダフト袋６を装填する際は、エア噴出部２を上方に持ち上げることで簡単に多数枚のダフト袋を積層台１６に装着できると共に、補充することも容易である。構造的にも簡単な作りであるため、故障の発生が少ない装置となっている。
【００２４】
図３は本考案に係る包装袋自動開口装置に包装袋を積載した状態の断面図を示すものである。図３（ａ）は、包装袋であるベロ付きダフト袋６を積層に搭載した時のエア噴出部２のエア噴出口２ａとダフト袋の開口部との位置関係を示す図であり、図３（ｂ）は図３（ａ）のＢ−Ｂ方向からのＢ−Ｂ断面図である。
【００２５】
図３（ａ）に示すようにエア噴出口２ｂから水平方向に吹出されるエア流はベロ付きダフト袋６の最上位のダフト袋のリップ部６ａの中央に吹き付けられるため、ベロ付きダフト袋６内部にエアが流入して簡単に開口し膨らませることができる。一旦膨らんだダフト袋は流入するエアにより静圧が袋内部に発生し膨らんだ状態を維持する。
【００２６】
ファンユニット１４で発生されたエアは、筐体１２の内部にある隔壁１２ａで密閉されているため開口部のエア吸入口２ａに加圧集中することで圧力を伴いエア噴出部２を上方に押し上げる力となって作用する。しかし、筐体１２とエア噴出部２との間に取り付けられたバネ７の弾性により、エア噴出部２を上方に押し上げる圧力を相殺すると共にベロ付きダフト袋６のベロ部６ｂを所定の力で押える構成となっている。そのため図３（ｂ）に示すようにベロ付きダフト袋６の開口部の横幅より小さい幅のエア噴出口２ｂから吹出されるエア流は拡散することなく常に最適な位置からベロ付きダフト袋６の最上位のダフト袋のリップ部６ａに吹き付けられて順次開口される。
【００２７】
また、エア噴出口２ｂに複数設置された押さえロッド３は、位置をずらして設置することで、ベロ付きダフト袋６を取り出す際に次のダフト袋が一緒に引き出されてしまうというダフト袋のずれを防止することができる。まず最上位のダフト袋が引き出されるとエア噴出口２ｂの奥に取り付けられた２本の押えロッド３が次のダフト袋のベロ部６ｂを先に押えた状態となる。しかし手前に取り付けられた押さえロッド３はまだ最上位のダフト袋のベロ部６ｂを押えており、その後最上位のダフト袋が取り出されると手前の押えロッド３が次のダフト袋を押えるという位置に差を持たせる機能でダフト袋のずれを防止する。また、押さえバネ３ａが押えロッド３の端部を押し下げるように取り付けられているため、エア噴出部２がファンユニット１４で発生された加圧エア流により浮き上がったとしても、押えロッド３のバネの抗力によりベロ付きダフト袋６は安定的に係止される。
【００２８】
また、図３（ａ）の断面図に示す筐体１２上面の積層台１６に取り付けられた三角形状のアジャストブロック５により積層されたベロ付きダフト袋６を下から屈曲させることでダフト袋を係止し、開口したベロ付きダフト袋６を取り出す際に積層のダフト袋が一緒にずれるのを防止する。ダフト袋のずれ防止機能として、上部ではエア噴出部２の側板と押えロッド３でダフト袋のベロ部６ｂを押え、下部では積層台１６の台上にあるアジャストブロック５でダフト袋を屈曲させて係止し下層部のずれを防止するという３種類のずれ防止機能を備えている。アジャストブロック５は高さを調整するためのアジャストボルト４により、ダフト袋の積層枚数やサイズに合わせてずれ防止に最適な高さに調整することができる。
【００２９】
図４は、本考案に係る包装袋自動開口装置のエア噴出部の構成を示す図である。図４（ａ）は、エア噴出部の構成を示す図である。図４（ｂ）は、筐体に取り付けられのシャフトガイドとエア噴出部のスライドシャフトブロックとの接続構成を示す断面図である。
【００３０】
筐体１２の内部にある隔壁１２ａに取り付けられたシャフトガイド９とエア噴出部２の上板に固定されたスライドシャフトブロック８の噛み合わせにより、スライドする方向が上下に限定される。この上下方向で移動自在にスライドすることで、エア噴出部２のＬ字型状の側板がベロ付きダフト袋６の最上位のダフト袋のベロ部６ｂを押さえ、ダフト袋を積み上げてもエア噴出口２ｂの位置はダフト袋のリップ部６ａに対し常に一定である。
【００３１】
また、図３に示すように筐体１２のファンユニット１４の周囲は隔壁１２ａによって密閉されており、筐体１２の開口部はエア噴出部２が上下にスライドするエア吸入口２ａに対応する部分のみであり、ファンユニット１４で発生されたエア流が集中することでこの開口部から加圧されたエア流が吹き上がる構成となっている。
【００３２】
更にエア噴出部２のＬ字状の構造は、側面３方が側板とスライドガイドブロック８とで隔壁１２ａを囲むように閉じられているため、エアの流れでる方向は内側に絞り込まれたエア噴出口２ｂに限定される。その結果、内側に絞り込まれたエア噴出口２ｂによって方向が限定され、加圧されたエア流は減衰することなくベロ付きダフト袋６のリップ部６ａの中央に効果的に吹出される。
【００３３】
図５は、図４で示した包装袋自動開口装置のエア噴出部の構成を他の構成で示した図である。図５（ａ）はスライド機構をスライドロッドとロッドガイドを使用した構成図である。図５（ｂ）は、筐体に取り付けられたロッドガイドとエア噴出部のスライドロッドとの接続構成を示す断面図である。
【００３４】
エア噴出部２の上下にスライドする機構において、図４のスライドシャフトブロック８の代わりに市販されている丸型のスライドロッド１７ａ、１７ｂを使用してエア噴出部２の上板に固定されている。また、シャフトガイド９の代わりにブロック構造のロッドガイド１８を使用して、ロットガイド１８には丸型のスライドロッド１７ａ、１７ｂの径に対応して僅かに広い径の孔を空けることで上下移動自在のスライド機能を確保している。市販されている丸型ロッドを使用することでより製作コストを低減することが可能であり、構造的にも簡略化されているため、引っ掛かりの無いスムーズな動きを実現できる。
【００３５】
尚、本実施例の中で示したスライド部を構成するスライドシャフトやガイドの形状は、本発明の趣旨を良く説明するための形状であって本発明を制限するものではない。
【００３６】
図６は、本考案に係る包装袋自動開口装置で開口したベロ付きダフト袋６に品物を袋詰めにする際の断面図である。図６（ａ）は、静圧で膨らんだダフト袋に品物を袋詰めする状況を示している。図６（ｂ）は、例として品物（パン）１６を袋詰めにした図である。
【００３７】
ベロ付きダフト袋６は、流入するエア流の静圧により品物を装入し易いような開口部の形状を保持して膨らんでいるため、包装袋自動開口装置よりダフト袋を取り外しても暫くの間、図６（ｂ）に示すように静圧で開口のままであり容易に品物１６を装入することができる。
【００３８】
このように本考案の包装袋自動開口装置は、人力による長時間の開口作業による肉体的苦痛と作業ムラを無くし、包装袋を効率良く開口することで袋詰め作業時間の短縮を図り、パン等の食品をはじめとする様々な品物の袋詰め作業に利用することができる。
【符号の説明】
【００３９】
１      電源スイッチ
２      エア噴出部
２ａ    エア吸入口
２ｂ    エア噴出口
３      押さえロッド
４      アジャストボルト
５      アジャストブロック
６      ベロ付きダフト袋
６ａ    リップ部
６ｂ    ベロ部
７      引っ張りバネ
８      スライドシャフトブロック
９      シャフトガイド
１１    ダフト袋位置決め側板
１２    筐体
１２ａ  隔壁
１３    ゴム足
１４    ファンユニット
１５    安全カバー
１６    積層台
１７    スライドロッド
１８    ロッドガイド
【図１】
0003152411.tif 000003
【図２】
0003152411.tif 000004
【図３】
0003152411.tif 000005
【図４】
0003152411.tif 000006
【図５】
0003152411.tif 000007
【図６】
0003152411.tif 000008
【図７】
0003152411.tif 000009